(57)【要約】【課題】  スライド操作型の携帯電話機において、大きな入力操作面で容易に入力操作を行うことを可能とする。【解決手段】  第１の筐体１及び第２の筐体２をスライドさせて開状態とした際に、第２の筐体２内に収納されていたキーボード４を突出させる。これにより、キーボード４の入力操作面を大きくすることができるため、キーボード４上のキー間隔を広げることができ、入力操作を容易化することができる。また、キーボード４の入力操作面を大きくすることができるため、キーボード４上に従前よりも物理的に大きなキーを設けることができ、入力操作を容易化することができる。或いは、キーボード４の入力操作面を大きくすることができるため、キーボード４上に従前よりも多数のキーを設けることができる。【選択図】  図２
2010252157.tif 000002
【特許請求の範囲】
【請求項１】
第１の筐体と、
第２の筐体と、
上記各筐体が略々全面的に重なり合う閉状態から、上記各筐体の所定の一部分同士が重なり合う開状態までの間、上記各筐体をスライド移動可能に保持するスライド保持機構と、
上記第２の筐体内に収納されると共に、上記各筐体のスライド方向に沿って移動可能に設けられたキーボードと、
上記各筐体を上記開状態とする際に、上記第１の筐体が移動する方向に対して反対の方向である突出方向に上記キーボードを付勢する第１の付勢部材と、
上記キーボードの上記突出方向の端部である突出側端部に対して反対側の端部となる収納側端部に設けられた爪部と、
上記第１の筐体に対して摺接する上記第２の筐体の摺接面から突出させるための突出部と、上記爪部に引っ掛かりを持たせるための引っ掛かり部とを備え、上記突出部を上記第２の筐体の摺接面から突出させた状態で、上記第２の筐体のスライド方向に対して直行する方向に対してのみ移動可能となるように該第２の筐体に設けられるキーボードロック部材と、
上記引っ掛かり部に対して上記爪部の引っ掛かりを持たせる方向に上記キーボードロック部材を付勢する第２の付勢部材と、
上記第１の筐体側に当該第１の筐体のスライド方向に沿って設けられた、上記キーボードロック部材の上記突出部を摺動させるための溝部であり、上記各筐体の上記閉状態時には、上記キーボードロック部材の上記引っ掛かり部と上記爪部とが引っ掛かる方向に、上記突出部を介して上記キーボードロック部材を移動させるロック用溝部と、このロック用溝部と連続して設けられ、上記各筐体の上記開状態時には、上記キーボードロック部材の上記引っ掛かり部が上記爪部から外れる方向に、上記突出部を介して上記キーボードロック部材を移動させるロック解除用溝部とを備えたスライド溝部とを有し、
上記各筐体の上記閉状態時には、上記キーボードロック部材の上記引っ掛かり部と上記爪部とが引っ掛かることで、上記キーボードを上記第２の筐体内に収納した状態で保持し、上記各筐体の上記開状態時には、上記キーボードロック部材の上記引っ掛かり部が上記爪部から外れることで、上記第１の付勢部材により上記キーボードが上記突出方向に付勢され、上記第２の筐体から上記キーボードが突出する
携帯端末装置。
【請求項２】
上記スライド保持機構は、上記各筐体が上記開状態となった際に、該各筐体を上記開状態とする際に上記第１の筐体が移動する側の側面部である反キーボード側側面部の高さ位置が、該反キーボード側側面部に対向する側面部であるキーボード側側面部の高さ位置よりも高くなるように上記第１の筐体を傾斜させる
請求項１に記載の携帯端末装置。
【請求項３】
上記第１の筐体は、上記反キーボード側側面部の厚みが、上記キーボード側側面部の厚みよりも薄くなるように、当該第１の筐体の略中央近傍から上記反キーボード側側面部にかけて傾斜加工が施されており、
上記第２の筐体は、上記キーボードが突出する側の側面部であるキーボード突出側側面部に対向する側面部である反キーボード突出側側面部の厚みが、上記キーボード突出側側面部の厚みよりも厚くなるように、当該第２の筐体の略中央近傍から上記反キーボード突出側側面部にかけて傾斜加工が施されており、
上記各筐体を上記閉状態とした際に、上記第１の筐体の上記反キーボード側側面部の厚み、及び上記第２の筐体の上記反キーボード突出側側面部の厚みを加算した厚みと、上記第１の筐体の上記キーボード側側面部の厚み、及び上記第２の筐体の上記キーボード突出側側面部の厚みを加算した厚みとが略々同じ厚みとなる
請求項２に記載の携帯端末装置。
【請求項４】
上記スライド保持機構は、
それぞれ一方の側面部から他方の側面部にかけて連通するガイドシャフト挿入用孔部を有する略柱形状の一対のスライドピンと、
上記各スライドピンの上記ガイドシャフト挿入用孔部に挿入されることで、該各スライドピンを長手方向に沿って移動自在に保持すると共に、周方向に沿って回動可能に保持するガイドシャフトと、
上記第２の筐体側に設けられ、上記各スライドピンがそれぞれ挿入され、上記各筐体の上記閉状態と上記開状態との間における上記ガイドシャフトに沿った上記各スライドピンの移動を可能とする長さの一対のガイド用孔部を備えたガイドプレートと、
上記各スライドピンを上記ガイドシャフトの長手方向に沿って移動自在に保持すると共に、上記各スライドピンを上記ガイドシャフトの周方向に沿って回動可能に保持するように、各一端部がそれぞれ上記各スライドピンに接続され、各他端部がそれぞれ上記第１の筐体に接続された一対のアーム部材と、
各一端部が上記各スライドピンにそれぞれ接続され、各他端部がそれぞれ上記第２の筐体に接続され、上記各筐体の上記閉状態時には、上記各スライドピンの間隔を広げる方向に該各スライドピンを付勢し、上記各筐体を上記閉状態から上記開状態とする際に、上記各アーム部材により上記各スライドピンの間隔を狭める方向へ移動される該各スライドピンの移動に連れて、該各スライドピンに接続されている上記各一端部の位置が移動することで、上記各スライドピンの間隔を狭める方向に該各スライドピンを付勢するように上記付勢方向が変向し、上記各筐体を上記開状態から上記閉状態とする際に、上記各アーム部材により上記各スライドピンの間隔を広げる方向へ移動される該各スライドピンの移動に連れて、該各スライドピンに接続されている上記各一端部の位置が移動することで、上記各スライドピンの間隔を広げる方向に該各スライドピンを付勢するように上記付勢方向が変向する一対の付勢部材と
を有する請求項２に記載の携帯端末装置。
【請求項５】
上記各筐体の開状態時において、上記第１の筐体の上記反キーボード側側面部の高さ位置が、上記キーボード側側面部の高さ位置よりも高くなるように上記第１の筐体を傾斜させるために、上記各スライドピンには、上記第２の筐体と当接する部分に上記第１の筐体の上記傾斜に対応する傾斜加工が施されている
請求項４に記載の携帯端末装置。
【請求項６】
上記ガイドプレートの各ガイド用孔部は、上記各筐体の上記閉状態時に上記スライドピンが当接する端部から、上記各筐体の上記開状態時に上記スライドピンが当接する端部にかけて、徐々に当該ガイド用孔部の幅が広くなるように加工された
請求項４又は請求項５に記載の携帯端末装置。
【請求項７】
上記キーボードの上記収納側端部に設けられた爪部は、所定の間隔を空けて少なくとも一対設けられており、
上記第２の筐体に設けられるキーボードロック部材も、上記各爪部に対応する位置に少なくとも一対設けられた
請求項１から請求項６のうち、いずれか一項に記載の携帯端末装置。
【発明の詳細な説明】
【技術分野】
【０００１】
本発明は、第１の筐体及び第２の筐体をスライドさせて開状態或いは閉状態とする、例えば携帯電話機、ＰＨＳ電話機（PHS：Personal Handyphone System）、ＰＤＡ装置（PDA：Personal Digital Assistant）、携帯ゲーム機、デジタルカメラ装置等の携帯機器に適用して好適な携帯端末装置に関する。
特には、第１の筐体及び第２の筐体をスライドさせて開状態とした際に、筐体内に収納されていたキーボードが突出することで、大きな入力操作面で容易に入力操作を行うことを可能とし、また、上記各筐体を開状態とした際に、表示部が設けられる方の筐体を斜めに傾斜させることで、表示部の視認性の向上を図った携帯端末装置に関する。
【背景技術】
【０００２】
特開２００５−１６７８４７号の公開特許公報（特許文献１）に、スライド操作の容易化を図った移動通信端末が開示されている。この移動通信端末は、表示部が設けられた表示筐体が、ボタン操作部が設けられた操作筐体に対してスライド可能に設けられており、表示筐体のスライド動作によって、ボタン操作部が露出した露出状態と、表示筐体によってボタン操作部が隠蔽される隠蔽状態とに移行されるようになっている。
【０００３】
また、操作筐体のアンテナ収容部には、第１圧縮コイルばねが収容されており、表示筐体は、第１圧縮コイルばねの付勢力によって上記隠蔽状態から上記露出状態に移行する方向に付勢されることで、当該移動通信端末を上記露出状態とする際のスライド操作の容易化を図っている。
【先行技術文献】
【特許文献】
【０００４】
【特許文献１】特開２００５−１６７８４７号公報
【発明の概要】
【発明が解決しようとする課題】
【０００５】
しかし、このような特許文献１に開示されている移動通信端末は、ボタン操作部を露出させる上記露出状態とした場合でも、表示筐体及び操作筐体の略半分程度がそれぞれ重なった状態となる。このため、ボタン操作部の各ボタンは、操作筐体の略半分程度の面積内に設ける必要がある。従って、以下の不都合を生じていた。
【０００６】
１．ボタン操作部の面積が狭くなると、当該ボタン操作部の隣接するボタン同士の間隔が狭くなる。
【０００７】
２．ボタン操作部の面積が狭くなると、当該ボタン操作部に設けるボタンの大きさが制限される。
【０００８】
３．ボタン操作部の面積が狭くなると、当該ボタン操作部に設けるボタンの数が制限される。
【０００９】
そして、このようなことから、入力操作に支障を来す問題があった。
【００１０】
本発明は、上述の課題に鑑みてなされたものであり、スライド操作型の携帯機器におけるキーボードの入力操作面を大きくすることができ、入力操作の容易化を図ることができるような携帯端末装置の提供を目的とする。
【課題を解決するための手段】
【００１１】
本発明に係る携帯端末装置は、上述の課題を解決するために、
第１の筐体と、
第２の筐体と、
上記各筐体が略々全面的に重なり合う閉状態から、上記各筐体の所定の一部分同士が重なり合う開状態までの間、上記各筐体をスライド移動可能に保持するスライド保持機構と、
上記第２の筐体内に収納されると共に、上記各筐体のスライド方向に沿って移動可能に設けられたキーボードと、
上記各筐体を上記開状態とする際に、上記第１の筐体が移動する方向に対して反対の方向である突出方向に上記キーボードを付勢する第１の付勢部材と、
上記キーボードの上記突出方向の端部である突出側端部に対して反対側の端部となる収納側端部に設けられた爪部と、
上記第１の筐体に対して摺接する上記第２の筐体の摺接面から突出させるための突出部と、上記爪部に引っ掛かりを持たせるための引っ掛かり部とを備え、上記突出部を上記第２の筐体の摺接面から突出させた状態で、上記第２の筐体のスライド方向に対して直行する方向に対してのみ移動可能となるように該第２の筐体に設けられるキーボードロック部材と、
上記引っ掛かり部に対して上記爪部の引っ掛かりを持たせる方向に上記キーボードロック部材を付勢する第２の付勢部材と、
上記第１の筐体側に当該第１の筐体のスライド方向に沿って設けられた、上記キーボードロック部材の上記突出部を摺動させるための溝部であり、上記各筐体の上記閉状態時には、上記キーボードロック部材の上記引っ掛かり部と上記爪部とが引っ掛かる方向に、上記突出部を介して上記キーボードロック部材を移動させるロック用溝部と、このロック用溝部と連続して設けられ、上記各筐体の上記開状態時には、上記キーボードロック部材の上記引っ掛かり部が上記爪部から外れる方向に、上記突出部を介して上記キーボードロック部材を移動させるロック解除用溝部とを備えたスライド溝部とを有する。
【００１２】
このような本発明は、上記各筐体の上記閉状態時には、上記キーボードロック部材の上記引っ掛かり部と上記爪部とが引っ掛かることで、上記キーボードを上記第２の筐体内に収納した状態で保持する。
【００１３】
また、上記各筐体の上記開状態時には、上記キーボードロック部材の上記引っ掛かり部が上記爪部から外れることで、上記第１の付勢部材により上記キーボードが上記突出方向に付勢され、上記第２の筐体から上記キーボードが突出する。これにより、キーボードの入力操作面を大きくすることができる。
【発明の効果】
【００１４】
本発明は、キーボードの入力操作面を大きくすることができるため、キーボード上のキー間隔を広げることができ、入力操作を容易化することができる。
【００１５】
また、キーボードの入力操作面を大きくすることができるため、キーボード上に従前よりも物理的に大きなキーを設けることができ、入力操作を容易化することができる。
【００１６】
或いは、キーボードの入力操作面を大きくすることができるため、キーボード上に従前よりも多数のキーを設けることができる。
【図面の簡単な説明】
【００１７】
【図１】本発明を適用した第１の実施例となる携帯電話機の閉状態時において、右側面部側から要部を透視した状態の図である。
【図２】第１の実施例となる携帯電話機の開状態時において、左側面部側から要部を透視した状態の図である。
【図３】第１の実施例となる携帯電話機の開状態時において、底面部側から要部を透視した状態の図である。
【図４】第１の実施例となる携帯電話機の第２の筐体内にキーボードが収納される構成を説明するための図である。
【図５】第１の実施例となる携帯電話機の第２の筐体に設けられるキーボードロック部材の斜視図である。
【図６】第１の実施例となる携帯電話機の第２の筐体に対するキーボードロック部材の設置を説明するための図である。
【図７】第１の実施例となる携帯電話機の第１の筐体側に設けられているスライド溝部を説明するための図である。
【図８】第１の実施例となる携帯電話機の閉状態時において、キーボードの爪部とキーボードロック部材とが引っ掛かっている状態を示す図である。
【図９】第１の実施例となる携帯電話機の開状態時において、キーボードの爪部がキーボードロック部材から外れた状態を示す図である。
【図１０】本発明を適用した第２の実施例となる携帯電話機の閉状態時において、第１の筐体側から要部を透視した状態の図である。
【図１１】本発明を適用した第２の実施例となる携帯電話機の閉状態時において、第２の筐体側から要部を透視した状態の図である。
【図１２】本発明を適用した第２の実施例となる携帯電話機の開状態時において、第１の筐体側から要部を透視した状態の図である。
【図１３】第２の実施例となる携帯電話機のスライド保持機構に設けられているスライドピンの斜視図である。
【図１４】第２の実施例となる携帯電話機のスライド保持機構に設けられているガイドプレートの斜視図である。
【発明を実施するための形態】
【００１８】
本発明は、第１の筐体及び第２の筐体をスライド移動させることで開状態或いは閉状態とするスライド操作型の携帯電話機に適用することができる。
【００１９】
［第１の実施例］
［第１の実施例の携帯電話機の構成］
図１に、閉状態時における、本発明を適用した第１の実施例となる携帯電話機を、図２及び図３に、開状態時における、この第１の実施例となる携帯電話機を示す。図１は、閉状態時における当該携帯電話機を、右側面部側から要部を透視した状態の図である。また、図２は、開状態時における当該携帯電話機を、左側面部側から要部を透視した状態の図である。さらに、図３は、開状態時における当該携帯電話機を、底面部側から要部を透視した状態の図である。
【００２０】
この図１〜図３からわかるように、この携帯電話機は、略長方形の箱型形状を有する第１の筐体１と、この第１の筐体１と略々同じ大きさの略長方形の箱型形状を有する第２の筐体２と、上記各筐体１，２が略々全面的に重なり合う閉状態から（図１参照）、上記各筐体１，２の所定の一部分同士が重なり合う開状態までの間（図２，図３参照）、上記各筐体１，２をスライド移動可能に保持するスライド保持機構３とを有している。
【００２１】
第１の筐体１には、第２の筐体２との摺接面１ａに対して反対側の面となる表示面１ｂに、例えば液晶表示部や有機ＥＬ表示部（EL：Electro Luminescence）等の表示部が設けられている。従って、この携帯電話機の場合、各筐体１，２を閉状態とした場合及び開状態とした場合の、いずれの場合も、上記表示部は常に露出するようになっている。
【００２２】
第２の筐体２には、略長方形の板形状のキーボード４が収納されている。具体的には、キーボード４は、図４に示すように各短手側の端部４ａ，４ｂに、それぞれ段差を設ける段差加工が施されている。第２の筐体２には、このキーボード４の段差加工に対応する形状の孔部であるキーボード挿入用孔部５が設けられている。キーボード４は、段差加工が施された各端部４ａ，４ｂを、上記キーボード挿入用孔部５に挿入することで、該キーボード４の操作面４ｃが露出する状態で第２の筐体２に収納されている。
【００２３】
このキーボード４は、各短手側の端部４ａ，４ｂにそれぞれ段差加工が施されているため、上記キーボード挿入用孔部５を介して第２の筐体２に収納されることで、当該第２の筐体２の厚さ方向への移動が抑制され、図４に矢印で示す当該第２の筐体２の短手方向の移動である収納方向及び突出方向への移動のみが可能となっている。
【００２４】
また、キーボード４は、一端が図１に示すようにネジ６により第２の筐体２側にネジ止めされ、他端が図３に示すようにネジ７により当該キーボード４の収納側の長手側の端部４ｄの略中央にネジ止めされたバネ部材８により、上記突出方向に付勢されている。
【００２５】
また、キーボード４には、図３に示すように上記ネジ７を中央とし、該キーボード４の短手側の各端部４ａ，４ｂのやや近傍となる位置に、該キーボード４の収納側の長手側の端部４ｄから収納方向に突出する一対の爪部９ａ，９ｂが設けられている。
【００２６】
また、第２の筐体２には、図１〜図３に示すように上記キーボード４の突出側の長手の端部２ａに対して反対側の端部となる反突出側の長手の端部２ｂに沿って、かつ、上記各爪部９ａ，９ｂに対応する位置に、一対のキーボードロック部材１０ａ，１０ｂが固定して設けられている。
【００２７】
なお、この例では、キーボード４に対して上記一対の爪部９ａ，９ｂを設けることとしたが、キーボード４に対して一つのみ爪部を設けても良いし、キーボード４に対して三つ以上の爪部を設けても良い。同様に、この例では、第２の筐体２に対して上記一対のキーボードロック部材１０ａ，１０ｂを設けることとしたが、第２の筐体２に対して一つのみキーボードロック部材を設けても良いし、第２の筐体２に対して三つ以上のキーボードロック部材を設けても良い。
【００２８】
図５に、キーボードロック部材１０ｂの斜視図を示す。なお、キーボードロック部材１０ａも同様の構成を有するため、該キーボードロック部材１０ａの構成も以下の説明を参照されたい。
【００２９】
この図５に示すように、キーボードロック部材１０ｂは、略直方体形状の本体１１と、この本体１１の上面部１１ａの略中央から突出するように設けられた突出部１２と、上記爪部９ｂに引っ掛かりを持たせるための引っ掛かり部１３とを有している。
【００３０】
第２の筐体２側には、各キーボードロック部材１０ａ，１０ｂを設ける位置に、それぞれ図６（ａ）に示すスライド保持孔部１４が設けられている。キーボードロック部材１０ｂは、図５に示す本体１１の底面部１１ｂから上記スライド保持孔部１４に挿入されることで、図６（ｂ）に示すように第２の筐体２のスライド方向に対して直行する方向に対してのみ移動可能となるように、該第２の筐体２に設けられる。
【００３１】
すなわち、このキーボードロック部材１０ｂは、当該キーボードロック部材１０ｂの引っ掛かり部１３と上記キーボード４に設けられた爪部９ｂとの引っ掛かりを持たせる方向であるロック方向、及び当該キーボードロック部材１０ｂの引っ掛かり部１３と上記キーボード４に設けられた爪部９ｂとの引っ掛かりを解除する方向であるロック解除方向にのみ移動可能なように、第２の筐体２に設けられる。
【００３２】
また、キーボードロック部材１０ｂは、図３に示すようにバネ部材１５と共にスライド保持孔部１４に挿入される。これにより、キーボードロック部材１０ｂは、上記爪部９ｂとの引っ掛かりを持たせる方向に付勢された状態で、第２の筐体２に設けられることとなる。
【００３３】
次に、第１の筐体１の上記第２の筐体２との摺接面１ａには、図７に示すように当該第１の筐体１のスライド方向に沿って設けられた、上記キーボードロック部材１０ｂの上記突出部１２を摺動させるためのスライド溝部１６が設けられている。なお、このスライド溝部１６は、キーボードロック部材１０ａの突出部１２にも対応して第１の筐体１側に設けられているものと理解されたい。そして、構成は以下の説明を参照されたい。
【００３４】
上記スライド溝部１６は、各筐体１，２の閉状態時には、キーボードロック部材１０ｂの引っ掛かり部１３と上記爪部９ｂとが引っ掛かる方向（ロック方向）に、上記突出部１２を介してキーボードロック部材１０ｂを移動させるロック用溝部１７と、このロック用溝部１７と連続して設けられ、各筐体１，２の開状態時には、キーボードロック部材１０ｂの引っ掛かり部１３が上記爪部９ｂから外れる方向（ロック解除方向）に、上記突出部１２を介してキーボードロック部材１０ｂを移動させるロック解除用溝部１８とを有している。
【００３５】
後述するが、各筐体１，２が閉状態となった際に、このスライド溝部１６により、各キーボードロック部材１０ａ，１０ｂが各突出部１２を介して上記ロック方向に移動されて第２の筐体２内にキーボード４が収納され、また、各筐体１，２が開状態となった際に、このスライド溝部１６により、各キーボードロック部材１０ａ，１０ｂが各突出部１２を介して上記ロック解除方向に移動され、第２の筐体２内に収納されていたキーボード４が、該第２の筐体２外に突出するようになっている。
【００３６】
なお、各キーボードロック部材１０ａ，１０ｂの各突出部１２をスライド溝部１６に挿入した際に、各キーボードロック部材１０ａ，１０ｂが、このスライド溝部１６の幅方向の移動である上記ロック方向及び上記ロック解除方向に移動可能となるように、各突出部１２の径はスライド溝部１６の幅よりも小さくなっている（＝各突出部１２とスライド溝部１６との間に多少のクリアランスが確保されていることで、各キーボードロック部材１０ａ，１０ｂが上記ロック方向及び上記ロック解除方向に移動可能となっている。）。
【００３７】
次に、第１の筐体１は、図１に示すように反キーボード側側面部１ｃの厚みが、キーボード側側面部１ｄの厚みよりも薄くなるように、当該第１の筐体１の略中央近傍から上記反キーボード側側面部１ｃにかけて傾斜加工が施されている。
【００３８】
これに対して、第２の筐体２は、図１に示すようにキーボードが突出する側の側面部であるキーボード突出側側面部２ｄに対向する反キーボード突出側側面部２ｃの厚みが、上記キーボード突出側側面部２ｄの厚みよりも厚くなるように、当該第２の筐体２の略中央近傍から上記反キーボード突出側側面部２ｄにかけて傾斜加工が施されている。
【００３９】
後述するが、この携帯電話機の場合、上記各筐体１，２に施された傾斜加工により、該各筐体１，２の閉状態時には、第１の筐体１の反キーボード側側面部１ｃの厚み、及び第２の筐体２の反キーボード突出側側面部２ｃの厚みを加算した厚みと、第１の筐体１のキーボード側側面部１ｄの厚み、及び第２の筐体２のキーボード突出側側面部２ｄの厚みを加算した厚みとが略々同じ厚みとなる。
【００４０】
しかし、各筐体１，２の開状態時には、該各筐体１，２に施されている上記各傾斜加工の作用で、図２に示すように第１の筐体１の反キーボード側側面部１ｃの高さ位置が、該第１の筐体１のキーボード側側面部１ｄの高さ位置よりも高くなるように、該第１の筐体１が斜めに傾斜した状態にスライド移動され、該第１の筐体１に設けられている表示部の視認性を確保するようになっている。
【００４１】
［第１の実施例の携帯電話機のスライド動作］
次に、このような構成を有する第１の実施例となる携帯電話機のスライド動作を説明する。
【００４２】
〔各筐体を閉状態から開状態にする際のスライド動作〕
まず、各筐体１，２を、図１に示す閉状態から図２に示す開状態にする際のスライド動作を説明する。図８は、各筐体１，２の閉状態時における要部のみを図示した図であり、図９は、各筐体１，２の開状態時における要部のみを図示した図である。
【００４３】
各筐体１，２の閉状態時には、図１に示すように各筐体１，２が略々全面的に重なり合った状態となると共に、キーボード４が第２の筐体２内に収納された状態となっている。そして、この各筐体１，２の閉状態時には、図８に示すバネ部材１５により各キーボードロック部材１０ａ，１０ｂがロック方向に付勢されることで、該各キーボードロック部材１０ａ，１０ｂの各突出部１２が、スライド溝部１６のロック用溝部１８内を上記ロック方向に移動し、該各突出部１２を介して各キーボードロック部材１０ａ，１０ｂが上記ロック方向に移動する。
【００４４】
これにより、この閉状態時において第２の筐体２内に収納されるキーボード４に設けられている各爪部９ａ，９ｂが、上記各キーボードロック部材１０ａ，１０ｂの各引っ掛かり部１３に引っ掛かった状態となり、当該携帯電話機は、キーボード４が第２の筐体２内に収納され保持された状態で、各筐体１，２同士が略々全面的に重なり合った上記閉状態となる。
【００４５】
次に、この閉状態時において、第１の筐体１に対して短手方向で、かつ、キーボード４の反突出方向の力を加えると共に、第２の筐体２に対して短手方向で、かつ、キーボード４の突出方向の力を加えると、各筐体１，２が短手方向の相反する方向にスライド移動することで（各筐体１，２が開方向にスライド移動することで）、各キーボードロック部材１０ａ，１０ｂは、図８に示すキーボード４の各爪部９ａ，９ｂが引っ掛かった状態のまま、各突出部１２がスライド溝部１６のロック用溝部１７に沿って開方向に移動することとなる。
【００４６】
そして、さらに各筐体１，２を開方向にスライド移動させると、各キーボードロック部材１０ａ，１０ｂの各突出部１２は、図９に示すスライド溝部１６のロック解除用溝部１８に到達する。このロック解除用溝部１８は、各キーボードロック部材１０ａ，１０ｂをロック解除方向に移動させる形状を有しているため、該各キーボードロック部材１０ａ，１０ｂは、このロック解除用溝部１８により各突出部１２を介して、バネ部材１５の付勢力に逆らってロック解除方向に移動する。
【００４７】
各キーボードロック部材１０ａ，１０ｂがロック解除方向に移動すると、キーボード４に設けられている各爪部９ａ，９ｂが、各キーボードロック部材１０ａ，１０ｂの各引っ掛かり部１３から外れた状態となる。
【００４８】
上述のように、キーボード４はバネ部材８により突出方向に付勢されている。このため、各爪部９ａ，９ｂが、各キーボードロック部材１０ａ，１０ｂの各引っ掛かり部１３から外れることで、キーボード４はバネ部材８の付勢力により、第２の筐体２外に突出する。これにより、当該携帯電話機は、図２に示す開状態となる。
【００４９】
なお、キーボード４及び第２の筐体２には、図示しないストッパが設けられており、このストッパにより、キーボード４の突出は所定の位置で停止するようになっている。
【００５０】
このように、当該携帯電話機は、各筐体１，２を開状態とした際に、第２の筐体２に収納されているキーボード４が該第２の筐体２外に突出するようになっている。このため、開状態時において、各筐体１，２が重なっているにもかかわらず、第２の筐体２の略々面積分の大きさの入力操作面を確保可能とすることができる。
【００５１】
従って、キーボード４の入力操作面を大きくすることができるため、キーボード４上のキー間隔を広げることができ、入力操作を容易化することができる。また、キーボード４の入力操作面を大きくすることができるため、キーボード４上に従前よりも物理的に大きなキーを設けることができ、入力操作を容易化することができる。或いは、キーボード４の入力操作面を大きくすることができるため、キーボード４上に従前よりも多数のキーを設けることができる。
【００５２】
ここで、上述のように第１の筐体１は、図１に示すように反キーボード側側面部１ｃの厚みが、キーボード側側面部１ｄの厚みよりも薄くなるように、当該第１の筐体１の略中央近傍から上記反キーボード側側面部１ｃにかけて傾斜加工が施されている。
【００５３】
また、第２の筐体２は、図１に示すようにキーボードが突出する側の側面部であるキーボード突出側側面部２ｄに対向する反キーボード突出側側面部２ｃの厚みが、上記キーボード突出側側面部２ｄの厚みよりも厚くなるように、当該第２の筐体２の略中央近傍から上記反キーボード突出側側面部２ｄにかけて傾斜加工が施されている。
【００５４】
そして、スライド保持機構３は、各筐体１，２の上記各傾斜に沿って各筐体１，２を開方向にスライド移動することで、図２に示すように第１の筐体１の反キーボード側側面部１ｃの高さ位置が、該第１の筐体１のキーボード側側面部１ｄの高さ位置よりも高くなるように、第１の筐体１を斜めに傾斜させた状態とする。
【００５５】
これにより、表示部が設けられる第１の筐体１の表示面１ｂの傾斜角度を、キーボード４の操作面４ｃに対して、人間工学的に良好な傾斜角度とすることができ、表示部の良好な視認性を確保可能とすることができる。
【００５６】
〔各筐体を開状態から閉状態にする際のスライド動作〕
次に、各筐体１，２を、図２に示す開状態から図１に示す閉状態にする際のスライド動作を説明する。
【００５７】
この場合、図２に示す開状態時において、第１の筐体１に対して短手方向で、かつ、キーボード４の突出方向の力を加えると共に、第２の筐体２から突出しているキーボード４に対して短手方向で、かつ、当該キーボード４の反突出方向の力を加える。これにより、第１の筐体１は、キーボード４の突出方向に移動すると共に、キーボード４は、バネ部材８の付勢力に逆らって、図９に示す収納方向に移動することとなる。
【００５８】
ここで、各筐体１，２を開状態から閉状態にする際には、第１の筐体１がキーボード４の突出方向に移動するため、キーボード４に設けられた各爪部９ａ，９ｂが、第２の筐体２に設けられている各キーボードロック部材１０ａ，１０ｂの位置まで移動した際に、該各キーボードロック部材１０ａ，１０ｂの各突出部１２が、スライド溝部１６のロック解除用溝部１８からロック用溝部１７に移動し、該各キーボードロック部材１０ａ，１０ｂが、各突出部１２を介して、ロック方向に移動する。
【００５９】
これにより、各キーボードロック部材１０ａ，１０ｂの位置まで移動していた各爪部９ａ，９ｂが、該各キーボードロック部材１０ａ，１０ｂの各引っ掛かり部１３に引っ掛かり、キーボード４が第２の筐体２内に収納された状態となる。
【００６０】
そして、キーボード４が第２の筐体２内に収納された状態で、第１の筐体１に対して短手方向で、かつ、キーボード４の突出方向の力をさらに加えると、キーボード４の各爪部９ａ，９ｂが、該各キーボードロック部材１０ａ，１０ｂの各引っ掛かり部１３に引っ掛かった状態のまま、該各キーボードロック部材１０ａ，１０ｂの各突出部１２がスライド溝部１６のロック用溝部１７に沿って移動し、当該携帯電話機は、図１に示すように各筐体１，２が略々全面的に重なった閉状態となる。
【００６１】
なお、各筐体１，２には上述の傾斜加工が施されているが、第１の筐体１の反キーボード側側面部１ｃの厚み、及び第２の筐体２の反キーボード突出側側面部２ｃの厚みを加算した厚みと、第１の筐体１のキーボード側側面部１ｄの厚み、及び第２の筐体２のキーボード突出側側面部２ｄの厚みを加算した厚みとは、略々同じ厚みとなっている。このため、当該携帯電話機は、閉状態時には、各筐体１，２に上述の傾斜加工が施されているにもかかわらず、全体的に略直方体形状を維持するようになっている。
【００６２】
［第１の実施例の効果］
以上の説明から明らかなように、この第１の実施例の携帯電話機は、各筐体１，２を開状態とした際に、第２の筐体２に収納されているキーボード４が該第２の筐体２外に突出するようになっている。このため、開状態時において、各筐体１，２が重なっているにもかかわらず、第２の筐体２の略々面積分の大きさの入力操作面を確保可能とすることができる。
【００６３】
従って、キーボード４の入力操作面を大きくすることができるため、キーボード４上のキー間隔を広げることができ、入力操作を容易化することができる。また、キーボード４の入力操作面を大きくすることができるため、キーボード４上に従前よりも物理的に大きなキーを設けることができ、入力操作を容易化することができる。或いは、キーボード４の入力操作面を大きくすることができるため、キーボード４上に従前よりも多数のキーを設けることができる。
【００６４】
また、第１の筐体１の反キーボード側側面部１ｃの厚みを、キーボード側側面部１ｄの厚みよりも薄くなるように、当該第１の筐体１の略中央近傍から上記反キーボード側側面部１ｃにかけて傾斜加工が施されており、第２の筐体２の反キーボード突出側側面部２ｃの厚みを、キーボード突出側側面部２ｄの厚みよりも厚くなるように、当該第２の筐体２の略中央近傍から上記反キーボード突出側側面部２ｄにかけて傾斜加工が施されている。
【００６５】
そして、スライド保持機構３は、各筐体１，２の上記各傾斜に沿って各筐体１，２を開方向にスライド移動することで、第１の筐体１の反キーボード側側面部１ｃの高さ位置が、該第１の筐体１のキーボード側側面部１ｄの高さ位置よりも高くなるように、第１の筐体１を斜めに傾斜した状態とする。
【００６６】
これにより、表示部が設けられる第１の筐体１の表示面１ｂの傾斜角度を、キーボード４の操作面４ｃに対して、人間工学的に良好な傾斜角度とすることができ、表示部の良好な視認性を確保可能とすることができる。
【００６７】
［第２の実施例］
次に、本発明を適用した第２の実施例となる携帯電話機の説明をする。この第２の実施例の携帯電話機は、各筐体１，２の半自動的なスムーズな開閉動作を可能とすると共に、各筐体１，２の開状態時に、第１の筐体１の反キーボード側側面部１ｃの高さ位置が、該第１の筐体１のキーボード側側面部１ｄの高さ位置よりも高くなるように該第１の筐体１を傾斜させ、表示部のさらなる視認性の向上を図ったものである。
【００６８】
なお、上述の第１の実施例の携帯電話機と、この第２の実施例の携帯電話機とは、この点のみが異なる。このため、以下、この両者の差異の説明のみ行い、重複説明は省略することとする。
【００６９】
［第２の実施例の携帯電話機の構成］
図１０及び図１１に、この第２の実施例の携帯電話機の閉状態時における要部を透視した図を、図１２に、この第２の実施例の携帯電話機の開状態時における要部を透視した図をそれぞれ示す。このうち、図１０は、閉状態時における当該携帯電話機を第１の筐体側１から見た状態の斜視図、図１１は、閉状態時における当該携帯電話機を第２の筐体側２から見た状態の斜視図、図１２は、開状態時における当該携帯電話機を第１の筐体側１から見た状態の斜視図となっている。
【００７０】
なお、この図１０〜図１２は、この第２の実施例の携帯電話機の構造や動作等を理解容易とするために、上述の第１の実施例で説明したキーボード４や各キーボードロック部材１０ａ，１０ｂ等の図示を省略した図となっている。
【００７１】
この図１０〜図１２から分かるように、この第２の実施例の携帯電話機は、一対のスライドピン２０と、各スライドピン２０を長手方向に沿って移動自在に保持すると共に、周方向に沿って回動可能に保持するガイドシャフト２１と、各筐体１，２の閉状態と開状態との間における上記ガイドシャフト２１に沿った各スライドピン２０の移動を可能とする長さの、一対のガイド用孔部２２を備えたガイドプレート２３と、各一端部がそれぞれ各スライドピン２０に接続され、各他端部がそれぞれ第１の筐体１に接続された一対のアーム部材２４と、各一端部が各スライドピン２０にそれぞれ接続され、各他端部がそれぞれ第２の筐体２に接続された、付勢方向が変向する一対のバネ部材２５とを備えたスライド保持機構を有している。
【００７２】
各スライドピン２０は、図１３に示すように略円柱形状を有しており、一方の側面部から他方の側面部にかけて、かつ、径方向に沿って連通するガイドシャフト挿入用孔部２６を有している。また、各スライドピン２０の底面部２０ａには、該各スライドピン２０の径方向に対して直行する方向に沿ってバネ止めピン挿入用孔部３１が設けられている。
【００７３】
また、後述するが、当該携帯電話機は、各筐体１，２の開状態時において、第１の筐体１の上記反キーボード側側面部１ｃの高さ位置が、キーボード側側面部１ｄの高さ位置よりも高くなるように第１の筐体１を傾斜させるようになっている。この際、各スライドピン２０はガイドシャフト２１の周方向に沿って回動するのであるが、この回動により各スライドピン２０の底面部２０ａが第２の筐体２側に当接し、第１の筐体の傾斜を妨げるおそれがある。このため、各スライドピン２０の底面部２０ａには、各筐体１，２の開状態時に、第２の筐体２と当接する部分に第１の筐体１の傾斜に対応する傾斜加工が施された傾斜加工部３５が設けられている。
【００７４】
なお、この例では、各スライドピン２０の底面部２０ａに対して、各筐体１，２の開状態時に、第２の筐体２と当接する部分に第１の筐体１の傾斜に対応する傾斜加工を施すこととしたが、各スライドピン２０の底面部２０ａに対して上記傾斜加工を施す代わりに、各スライドピン２０の底面部２０ａとの当接を防止するための当接防止用孔部（＝各筐体１，２の開状態時に各スライドピン２０の底面部２０ａを逃がすための孔部）を、第２の筐体２側に設けてもよい。
【００７５】
ガイドシャフト２１は、各スライドピン２０に設けられているガイドシャフト挿入用孔部２６よりも若干小さめの径を有する円柱の棒状部材となっている。このガイドシャフト２１は、図１０〜図１２に示すように各スライドピン２０の各ガイドシャフト挿入用孔部２６に挿入されることで、該各スライドピン２０を、当該ガイドシャフト２１に沿って移動自在に保持すると共に、当該ガイドシャフト２１の周方向に沿って回動可能に保持するようになっている。
【００７６】
ガイドプレート２３は、図１４に示すように全体が長板形状を有しており、この長手方向に沿って、一対の略長楕円形状のガイド用孔部２２を有している。また、このガイドプレート２３は、当該ガイドプレート２３の長手方向に沿って上記ガイドシャフト２１を保持するための、一対のガイドシャフト保持用孔部２７を有している。この各ガイドシャフト保持用孔部２７に対して、各スライドピン２０の各ガイドシャフト挿入用孔部２６に挿入された状態のガイドシャフト２１の一端部、及び他端部がそれぞれ挿入されるようになっている。
【００７７】
また、ガイドプレート２３の短手側の一端部（両端部でもよい。）には、当該ガイドプレート２３をネジ止めするためのネジ止め用孔部２８を有しており、このネジ止め用孔部２８を介してネジにより、ガイドプレート２３が、図１０〜図１２に示すように第２の筐体２の反キーボード突出側側面部２ｃに沿ってネジ止めされ固定されるようになっている。
【００７８】
ガイドプレート２３の各ガイド用孔部２２には、図１０〜図１２に示すように各スライドピン２０がそれぞれ挿入されるようになっており、各ガイド用孔部２２により、各筐体１，２の閉状態と開状態との間における上記ガイドシャフト２１に沿った各スライドピン２０の移動をガイドするようになっている。
【００７９】
また、各スライドピン２０は、各筐体１，２の閉状態と開状態との間において、図１４に示すようにガイドプレート２３の各ガイド用孔部２２内を開方向及び閉方向に移動するのであるが、各筐体１，２が開状態とされた際には、上述のように各スライドピン２０がガイドシャフト２１の周方向に沿って回動することで傾斜する。ガイドプレート２３は第２の筐体２に固定されているため、各スライドピン２０が傾斜することで、ガイドプレート２３の各ガイド用孔部２２内における各スライドピン２０の径が、各筐体１，２の閉状態と開状態とで変化することとなる。
【００８０】
すなわち、各スライドピン２０が傾斜しない状態となる、各筐体１，２の閉状態時における上記各ガイド用孔部２２内の各スライドピン２０の径よりも、各スライドピン２０が傾斜した状態となる、各筐体１，２の開状態時における上記各ガイド用孔部２２内の各スライドピン２０の径の方が大きくなる。
【００８１】
このため、ガイドプレート２３の各ガイド用孔部２２の短手方向の幅は、各筐体１，２の閉状態時に各スライドピン２０が位置する外側の幅Ａ１，Ａ２よりも、各筐体１，２の開状態時に各スライドピン２０が位置する内側の幅Ｂ１，Ｂ２の方が幅広となっている。換言すれば、ガイドプレート２３の各ガイド用孔部２２は、各筐体１，２の開状態時に各スライドピン２０が傾斜することで変化する該各スライドピン２０の径の変化を吸収可能なように、短手方向の幅が内側と外側で異なる幅となるように形成されている。
【００８２】
次に、各アーム部材２４は、図１０〜図１２に示すように長板形状を有しており、一端部近傍に、短手方向に沿って連通するスライドピン挿入用孔部２４ａが、他端部近傍に、短手方向に沿って連通する筐体固定用孔部２４ｂが、それぞれ設けられている。
【００８３】
アーム部材２４の一端部近傍に設けられたスライドピン挿入用孔部２４ａの径は、スライドピン２０のガイドシャフト２１が設けられる底面部２０ａに対して反対側となる上面部２０ｂの径よりも若干大きめの径となっている。アーム部材２４は、このスライドピン挿入用孔部２４ａに、スライドピン２０の上面部２０ｂが挿入されることで、該スライドピン２０と接続されており、該スライドピン２０の周方向に沿って回動可能となっている。
【００８４】
また、アーム部材２４の他端部近傍に設けられた筐体固定用孔部２４ｂには、凹凸の無い周面とされた固定ピン２９が挿入されるようになっている。各アーム部材２４は、この固定ピン２９を介して、第１の筐体１の閉方向側の両角部近傍に、それぞれ固定されている。また、固定ピン２９の周面は、凹凸の無い周面とされているため、各アーム部材２４は、この固定ピン２９の周方向に沿って回動可能となっている。
【００８５】
次に、バネ部材２５は、図１０〜図１２に示すように全体が多くのＳ字型をつなぎ合せた形状である、言わば蛇行形状を有しており、図１１に示すように各一端部２５ａが、各スライドピン２０のバネ止めピン挿入用孔部３１に挿入されるバネ止めピン３０により、各スライドピン２０に固定されている。
【００８６】
また、このバネ部材２５の他端部２５ｂは、図１１及び図１２に示すようにネジ３２により第２の筐体２側に固定されるのであるが、各筐体１，２が閉状態となった際に、各スライドピン２０の間隔を広げる方向に該各スライドピン２０を付勢するように、上記ネジ３２により第２の筐体２側に固定されている。
【００８７】
このバネ部材２５は、以下に説明するように各筐体１，２の開閉状態に応じて各スライドピン２０に対する付勢方向が変化（変向）するようになっており、各筐体１，２の半自動的なスムーズな開閉動作を可能としている。
【００８８】
［第２の実施例の携帯電話機のスライド動作］
次に、このような構成を有する第２の実施例となる携帯電話機のスライド動作を説明する。
【００８９】
〔各筐体を閉状態から開状態にする際のスライド動作〕
まず、各筐体１，２を、図１０及び図１１に示す閉状態から図１２に示す開状態にする際のスライド動作を説明する。
【００９０】
各筐体１，２が閉状態である場合、各スライドピン２０は、バネ部材２５により、該各スライドピン２０の間隔を広げる方向に付勢されている。この状態で、第１の筐体１に対して図１０に示す開方向の力を加えると共に、第２の筐体２に対して閉方向の力を加えると、この各筐体１，２に加えられた力が各アーム部材２４を介して各スライドピン２０に伝達され、各スライドピン２０がガイドシャフト２１に沿って、ガイドプレート２３のガイド用孔部２２の外側から内側にかけて移動を開始する。これと共に、各スライドピン２０に対して接続されているバネ部材２５の一端部２５ａの位置も、この各スライドピン２０の移動に従って移動する。
【００９１】
次に、第１の筐体１に対して上記開方向の力をさらに加えると共に、第２の筐体２に対して上記閉方向の力をさらに加えることで、各アーム部材２４により各スライドピン２０が、ガイドプレート２３のガイド用孔部２２の略中間よりもやや内側寄りまで移動すると、各スライドピン２０に対するバネ部材２５の付勢方向が、各スライドピン２０の間隔を狭める方向に変化する。
【００９２】
すなわち、各スライドピン２０に接続された各バネ部材２５の各一端部２５ａの位置は、各スライドピン２０の移動に従って移動するため、各筐体１，２が閉状態である場合に各スライドピン２０の間隔を広げる方向に付勢していた各バネ部材２５の付勢方向が、各スライドピン２０がガイド用孔部２２の略中間よりもやや内側寄りまで移動した際に、各スライドピン２０の間隔を狭める方向に変化する。
【００９３】
各バネ部材２５の付勢方向が、各スライドピン２０の間隔を狭める方向に変化すると、該各スライドピン２０は、該各バネ部材２５の付勢力により、上記ガイド用孔部２２の内側方向に付勢され、各スライドピン２０が、上記ガイド用孔部２２の内側の側壁部に当接するまで移動する。
【００９４】
これにより、各筐体１，２が略半分程度、開状態となるまで、該各筐体１，２に上記力を加えた後は、上記各バネ部材２５の付勢力により、各スライドピン２０が上記ガイド用孔部２２の内側の側壁部に当接するまで移動し、該各筐体１，２を、半自動的に図１２に示す開状態とすることができる。
【００９５】
ここで、第１の実施例で説明したように、第１の筐体１の反キーボード側側面部１ｃの厚みは、キーボード側側面部１ｄの厚みよりも薄くなるように、当該第１の筐体１の略中央近傍から上記反キーボード側側面部１ｃにかけて傾斜加工が施されており、第２の筐体２の反キーボード突出側側面部２ｃの厚みは、キーボード突出側側面部２ｄの厚みよりも厚くなるように、当該第２の筐体２の略中央近傍から上記反キーボード突出側側面部２ｄにかけて傾斜加工が施されている。また、ガイドプレート２３は、第２の筐体２の反キーボード突出側側面部２ｃに沿ってネジ止めされ固定されている。
【００９６】
このため、各筐体１，２が図１２に示す開状態となる際には、第１の筐体１のキーボード側側面部１ｄと、第２の筐体２の反キーボード突出側側面部２ｃとが極近接した状態となると共に、第１の筐体１の反キーボード側側面部１ｃの高さ位置が、該第１の筐体１のキーボード側側面部１ｄの高さ位置よりも高くなるように、第１の筐体１が斜めに傾斜した状態となる。従って、各スライドピン２０には、各アーム部材２４を介して第１の筐体１を上記斜めに傾斜させようとする力が加わることとなる。
【００９７】
各スライドピン２０は、各アーム部材２４を介して第１の筐体１を上記斜めに傾斜させようとする力が加わると、ガイドシャフト２１の外周に沿って、図１０に示す傾斜方向に回動する。この各スライドピン２０の底面部２０ａに設けられた傾斜加工部３５は、当該各スライドピン２０が上記傾斜方向に回動した際に、各底面部２０ａが第２の筐体２に当接する不都合を防止している。
【００９８】
また、各スライドピン２０が上記傾斜方向に回動すると、ガイドプレート２３の各ガイド用孔部２２に対する各スライドピン２０の径が大きくなる方向に変化することとなる。このため、図１４を用いて説明したように、ガイドプレート２３の各ガイド用孔部２２の短手方向の幅は、各筐体１，２の閉状態時に各スライドピン２０が位置する外側の幅Ａ１，Ａ２よりも、各筐体１，２の開状態時に各スライドピン２０が位置する内側の幅Ｂ１，Ｂ２の方が幅広となっており、ガイドプレート２３は、各筐体１，２の開状態時に各スライドピン２０が上記傾斜方向に回動することで変化する該各スライドピン２０の径の変化を吸収する。これにより、各筐体１，２の開状態時における各スライドピン２０の上記傾斜方向の回動がスムーズに行われるようにしている。
【００９９】
このような各スライドピン２０及びガイドプレート２３の機能により、当該第２の実施例の携帯電話機は、各筐体１，２を、図１２に示す開状態に、半自動的かつスムーズに移行させることができる。
【０１００】
そして、各筐体１，２を開状態とした際には、第１の筐体１の反キーボード側側面部１ｃの高さ位置が、該第１の筐体１のキーボード側側面部１ｄの高さ位置よりも高くなるように、第１の筐体１が斜めに傾斜した状態となるため、表示部が設けられる第１の筐体１の表示面１ｂの傾斜角度を、第２の筐体２に設けられたキーボードの操作面に対して、人間工学的に良好な傾斜角度とすることができ、表示部の良好な視認性を確保可能とすることができる。
【０１０１】
また、この第２の実施例の携帯電話機の場合、ガイドプレート２３が、第２の筐体２の反キーボード突出側側面部２ｃに沿ってネジ止めされ固定されているため、各筐体１，２は、第１の筐体１のキーボード側側面部１ｄと、第２の筐体２の反キーボード突出側側面部２ｃとが極近接した状態で開状態となる。このため、この開状態時における第１の筐体１の傾斜を、上述の第１の実施例の携帯電話機の第１の筐体１の傾斜よりも、さらに良好な傾斜とすることができ、表示部のさらに良好な視認性を確保可能とすることができる。
【０１０２】
また、この第２の実施例の携帯電話機の場合、ガイドプレート２３が、第２の筐体２の反キーボード突出側側面部２ｃに沿ってネジ止めされ固定されているため、上記キーボード４を突出させる機構を設けずに、第１の筐体１が開方向にスライド移動した際に、第２の筐体２側に設けられたキーボードが露出する構成とした場合でも、各筐体１，２を開状態とした際に露出する、第２の筐体２側に設けられたキーボードの露出面積を大きくすることができる。
【０１０３】
従って、第２の筐体２側に設けられるキーボード上のキー間隔を広げることができ、入力操作を容易化することができる。また、上記キーボード上に従前よりも物理的に大きなキーを設けることができ、入力操作を容易化することができる。或いは、上記キーボードの入力操作面を大きくすることができるため、該キーボード上に従前よりも多数のキーを設けることができる。
【０１０４】
〔各筐体を開状態から閉状態にする際のスライド動作〕
次に、各筐体１，２を、図１２に示す開状態から図１０及び図１１に示す閉状態にする際のスライド動作を説明する。
【０１０５】
各筐体１，２が開状態である場合、上述のように各スライドピン２０は、バネ部材２５により、該各スライドピン２０の間隔を狭める方向に付勢されている。この状態で、第１の筐体１に対して図１２に示す閉方向の力を加えると共に、第２の筐体２に対して開方向の力を加えると、この各筐体１，２に加えられた力が各アーム部材２４を介して各スライドピン２０に伝達され、各スライドピン２０がガイドシャフト２１に沿って、ガイドプレート２３のガイド用孔部２２の内側から外側にかけて移動を開始する。また、これとと共に、各スライドピン２０に対して接続されているバネ部材２５の一端部２５ａの位置も、この各スライドピン２０の移動に従って移動する。
【０１０６】
次に、第１の筐体１に対して上記閉方向の力をさらに加えると共に、第２の筐体２に対して上記開方向の力をさらに加えることで、各アーム部材２４により各スライドピン２０が、ガイドプレート２３のガイド用孔部２２の略中間よりもやや外側寄りまで移動すると、各スライドピン２０に対するバネ部材２５の付勢方向が、各スライドピン２０の間隔を広げる方向に変化する。
【０１０７】
すなわち、各スライドピン２０に接続された各バネ部材２５の各一端部２５ａの位置は、各スライドピン２０の移動に従って移動するため、各筐体１，２が開状態である場合に各スライドピン２０の間隔を狭める方向に付勢していた各バネ部材２５の付勢方向が、各スライドピン２０がガイド用孔部２２の略中間よりもやや外側寄りまで移動した際に、各スライドピン２０の間隔を広げる方向に変化する。
【０１０８】
各バネ部材２５の付勢方向が、各スライドピン２０の間隔を広げる方向に変化すると、該各スライドピン２０は、該各バネ部材２５の付勢力により、上記ガイド用孔部２２の外側方向に付勢され、各スライドピン２０が、上記ガイド用孔部２２の外側の側壁部に当接するまで移動する。
【０１０９】
これにより、各筐体１，２が略半分程度、閉状態となるまで、該各筐体１，２に上記力を加えた後は、上記各バネ部材２５の付勢力により、各スライドピン２０が上記ガイド用孔部２２の外側の側壁部に当接するまで移動し、該各筐体１，２を、半自動的に図１０及び図１１に示す閉状態とすることができる。
【０１１０】
ここで、各筐体１，２が図１２に示す閉状態となる際には、各アーム部材２４を介して各スライドピン２０に、第１の筐体１の上述の傾斜を戻そうとする力が加わることとなる。
【０１１１】
各スライドピン２０は、各アーム部材２４を介して第１の筐体１の傾斜を戻そうとする力が加わると、ガイドシャフト２１の外周に沿って、図１０に示す反傾斜方向に回動する。これにより、ガイドプレート２３の各ガイド用孔部２２に接していた各スライドピン２０の径が、上記大きな径から本来の径に戻ることとなる。そして、ガイドプレート２３は、この本来の径に戻った各スライドピン２０を、幅が狭くなっているガイド用孔部２２の外側に部分で保持する（＝図１４に示す幅Ａ１，Ａ２の部分で各スライドピン２０を保持する。）。
【０１１２】
これにより、当該第２の実施例の携帯電話機は、各筐体１，２を、図１０及び図１１に示す閉状態に、半自動的かつスムーズに移行させることができる。
【０１１３】
なお、各筐体１，２には上述の傾斜加工が施されているが、第１の筐体１の反キーボード側側面部１ｃの厚み、及び第２の筐体２の反キーボード突出側側面部２ｃの厚みを加算した厚みと、第１の筐体１のキーボード側側面部１ｄの厚み、及び第２の筐体２のキーボード突出側側面部２ｄの厚みを加算した厚みとは、略々同じ厚みとなっている。このため、当該携帯電話機は、閉状態時には、各筐体１，２に上述の傾斜加工が施されているにもかかわらず、全体的に略直方体形状を維持するようになっている。
【０１１４】
［第２の実施例の効果］
以上の説明から明らかなように、この第２の実施例の携帯電話機は、各筐体１，２のスライド保持機構に、それぞれ一方の側面部から他方の側面部にかけて連通するガイドシャフト挿入用孔部２６を有する略円柱形状の一対のスライドピン２０と、各スライドピン２０のガイドシャフト挿入用孔部２６に挿入されることで、該各スライドピン２０を長手方向に沿って移動自在に保持すると共に、周方向に沿って回動可能に保持するガイドシャフ２１とを設ける。
【０１１５】
また、上記スライド保持機構に、第２の筐体２側に設けられ、各スライドピン２０がそれぞれ挿入され、各筐体１，２の閉状態と開状態との間におけるガイドシャフト２１に沿った各スライドピン２０の移動を可能とする長さの、一対のガイド用孔部２２を備えたガイドプレート２３と、各スライドピン２０をガイドシャフト２１の長手方向に沿って移動自在に保持すると共に、各スライドピン２０をガイドシャフト２１の周方向に沿って回動可能に保持するように、各一端部がそれぞれ各スライドピン２０に接続され、各他端部がそれぞれ第１の筐体１に接続された一対のアーム部材２４とを設ける。
【０１１６】
また、上記スライド保持機構に、各一端部が各スライドピン２０にそれぞれ接続され、各他端部がそれぞれ第２の筐体２に接続され、各筐体１，２の閉状態時には、各スライドピン２０の間隔を広げる方向に該各スライドピン２０を付勢し、各筐体１，２を閉状態から開状態とする際に、各アーム部材２４により各スライドピン２０の間隔を狭める方向へ移動される該各スライドピン２０の移動に連れて、該各スライドピン２０に接続されている上記各一端部の位置が移動することで、各スライドピン２０の間隔を狭める方向に該各スライドピン２０を付勢するように上記付勢方向が変向し、各筐体１，２を開状態から閉状態とする際に、各アーム部材２４により各スライドピン２０の間隔を広げる方向へ移動される該各スライドピン２０の移動に連れて、該各スライドピン２０に接続されている上記各一端部の位置が移動することで、各スライドピン２０の間隔を広げる方向に該各スライドピン２０を付勢するように上記付勢方向が変化する一対のバネ部材２５を設ける。
【０１１７】
これにより、各筐体１，２を図１２に示す開状態とする際に、該各筐体１，２を半自動的かつスムーズに開状態とすることができる。
【０１１８】
また、各筐体１，２を開状態とした際には、第１の筐体１の反キーボード側側面部１ｃの高さ位置が、該第１の筐体１のキーボード側側面部１ｄの高さ位置よりも高くなるように、第１の筐体１が斜めに傾斜した状態となるため、表示部が設けられる第１の筐体１の表示面１ｂの傾斜角度を、第２の筐体２に設けられたキーボードの操作面に対して、人間工学的に良好な傾斜角度とすることができ、表示部の良好な視認性を確保可能とすることができる。
【０１１９】
また、ガイドプレート２３が、第２の筐体２の反キーボード突出側側面部２ｃに沿ってネジ止めされ固定されているため、各筐体１，２は、第１の筐体１のキーボード側側面部１ｄと、第２の筐体２の反キーボード突出側側面部２ｃとが極近接した状態で開状態となる。このため、この開状態時における第１の筐体１の傾斜を、上述の第１の実施例の携帯電話機の第１の筐体１の傾斜よりも、さらに良好な傾斜とすることができ、表示部のさらに良好な視認性を確保可能とすることができる。
【０１２０】
また、ガイドプレート２３が、第２の筐体２の反キーボード突出側側面部２ｃに沿ってネジ止めされ固定されているため、上記キーボード４を突出させる機構を設けずに、第１の筐体１が開方向にスライド移動した際に、第２の筐体２側に設けられたキーボードが露出する構成とした場合でも、各筐体１，２を開状態とした際に露出する、第２の筐体２側に設けられたキーボードの露出面積を大きくすることができる。
【０１２１】
従って、第２の筐体２側に設けられるキーボード上のキー間隔を広げることができ、入力操作を容易化することができる。また、上記キーボード上に従前よりも物理的に大きなキーを設けることができ、入力操作を容易化することができる。或いは、上記キーボードの入力操作面を大きくすることができるため、該キーボード上に従前よりも多数のキーを設けることができる。
【０１２２】
［変形例］
上述の各実施例の説明では、本発明を携帯電話機に適用することとしたが、本発明を、ＰＨＳ電話機（PHS：Personal Handyphone System）、ＰＤＡ装置（PDA：Personal Digital Assistant）、携帯ゲーム機、デジタルカメラ装置等の他の携帯機器に適用してもよい。いずれの場合も上述と同様の効果を得ることができる。
【０１２３】
最後に、上述の各実施例は、本発明の一例である。このため、本発明は上述の各実施例に限定されることはなく、本発明に係る技術的思想を逸脱しない範囲であれば、設計等に応じて種々の変更が可能であることは勿論であることを付け加えておく。
【符号の説明】
【０１２４】
１  第１の筐体、１ａ  第１の筐体の摺接面、１ｂ  第１の筐体の表示面、１ｃ  第１の筐体の反キーボード側側面部、１ｄ  第１の筐体のキーボード側側面部、２  第２の筐体、２ａ  第２の筐体のキーボード突出側の長手の端部、２ｂ  第２の筐体のキーボードの反突出側の長手の端部、２ｃ  第２の筐体の反キーボード突出側側面部、２ｄ  第２の筐体のキーボード突出側側面部、３  スライド保持機構、４  キーボード、４ａ  キーボードの短手側の端部、４ｂ  キーボードの短手側の端部、４ｃ  キーボードの操作面、４ｄ  キーボードの収納側の長手側の端部、５  第２の筐体に設けられているキーボード挿入用孔部、６  バネ部材を第２の筐体にネジ止めしているネジ、７  バネ部材をキーボードにネジ止めしているネジ、８  キーボードを突出方向に付勢しているバネ部材、９ａ  キーボードを第２の筐体に収納された状態でロックするための爪部、９ｂ  キーボードを第２の筐体に収納された状態でロックするための爪部、１０ａ  爪部が引っ掛かるキーボードロック部材、１０ｂ  爪部が引っ掛かるキーボードロック部材、１１  キーボードロック部材の本体、１１ａ  キーボードロック部材の本体の上面部、１２  キーボードロック部材の突出部、１３  キーボードロック部材の引っ掛かり部、１４  キーボードロック部材用のスライド保持孔部、１５  キーボードロック部材を付勢するバネ部材、１６  キーボードロック部材の突出部を摺動させるためのスライド溝部、１７  キーボードロック部材をロック方向に移動させるロック用溝部、１８  キーボードロック部材をロック方向に移動させるロック解除用溝部、２０  スライドピン、２０ａ  スライドピンの底面部、２０ｂ  スライドピンの上面部、２１  ガイドシャフト、２２  スライドピンが挿入されるガイドプレートのガイド用孔部、２３  ガイド用孔部に沿ってスライドピンを移動及び回動可能に保持するガイドプレート、２４  アーム部材、２５  付勢方向が変向するバネ部材、２５ａ  バネ部材の一端部、２５ｂ  バネ部材の他端部、２６  スライドピンのガイドシャフト挿入用孔部、２７  ガイドシャフトを保持するためのガイドプレートのガイドシャフト保持用孔部、２８  ガイドプレートを第２の筐体にネジ止めするためのネジ止め用孔部、２９  アーム部材を第１の筐体に回動可能に固定するための固定ピン、３０  バネ部材の一端部をスライドピンに固定するためのバネ止めピン、３１  バネ止めピンが挿入されるスライドピンのバネ止めピン挿入用孔部、３２  バネ部材の他端部を第２の筐体に固定するためのネジ、３５  スライドピンの底面部に設けられた傾斜加工部
【図１】
2010252157.tif 000003
【図２】
2010252157.tif 000004
【図３】
2010252157.tif 000005
【図４】
2010252157.tif 000006
【図５】
2010252157.tif 000007
【図６】
2010252157.tif 000008
【図７】
2010252157.tif 000009
【図８】
2010252157.tif 000010
【図９】
2010252157.tif 000011
【図１０】
2010252157.tif 000012
【図１１】
2010252157.tif 000013
【図１２】
2010252157.tif 000014
【図１３】
2010252157.tif 000015
【図１４】
2010252157.tif 000016